(57)【要約】      （修正有）【課題】介護士等が端末を共有する場合にも、容易に所望の相手先に内線通話を行える通信システムを提供する。【解決手段】各携帯端末は、他の携帯端末に対応する相手先端末情報と相手先ユーザー情報とを対応づけて記録した電話帳データをＴＡ記憶部に記憶可能となっており、ＴＡ入力部を介してユーザーが相手先ユーザー情報を指定して内線電話をかける操作を行った場合、携帯端末ＴＡは、ＰＢＸに対して、指定した相手先ユーザー情報に対応する電話帳データの相手先端末情報を含む内線接続要求を送信可能となっている。また、ＰＢＸは、携帯端末ＴＡの一つから内線接続要求があったときは、相手先端末情報に対応する端末に対して内線接続を確立する。【選択図】図３
2018152876.tif 000002
【特許請求の範囲】
【請求項１】
音声通話装置と、記憶部と、操作部とを備えた複数の端末と、
前記端末と通信可能な中央サーバと、
前記端末と通信可能であって、内線接続機能を有するＰＢＸとを有する通信システムであって、
各端末は、他の端末に対応する相手先端末情報と相手先ユーザー情報とを対応づけて記録した電話帳データを前記記憶部に記憶可能となっており、前記操作部を介してユーザーが前記相手先ユーザー情報を指定して内線電話をかける操作を行った場合、前記端末は、前記ＰＢＸに対して、指定した前記相手先ユーザー情報に対応する前記電話帳データの相手先端末情報を含む内線接続要求を送信可能となっており、
前記ＰＢＸは、前記端末の一つから内線接続要求があったときは、前記相手先端末情報に対応する端末に対して内線接続を確立し、
前記端末が、前記中央サーバに対して，ユーザーの情報を含むログイン要求信号を送信した場合、前記中央サーバは、前記ログイン要求信号に含まれたユーザーの情報と、前記ログイン要求信号を送信した前記端末との組み合わせを含む更新情報を、前記中央サーバにログインしている前記端末全てに送信し、前記端末は、送信された前記更新情報に基づいて、前記記憶部に記憶された前記電話帳データを更新する通信システム。
【請求項２】
前記端末が、前記中央サーバに対して，ユーザーの情報を含むログアウト要求信号を送信した場合、前記中央サーバは、前記ログアウト要求信号に含まれたユーザーの情報と、前記ログアウト要求信号を送信した前記端末との組み合わせを含む更新情報を、前記中央サーバにログインしている前記端末全てに送信し、前記端末は、送信された前記更新情報に基づいて、前記記憶部に記憶された前記電話帳データを更新する請求項１に記載の通信システム。
【請求項３】
前記中央サーバは、対象者の状態を検出するセンサ装置に通信可能に接続されており、前記センサ装置からの信号に基づいて、前記対象者が特定の状態になったと判断したときは、前記中央サーバから、ログインしている前記端末に前記対象者の状態に関する情報が送信される請求項１又は２に記載の通信システム。
【請求項４】
前記操作部はタッチパネル式の表示装置を有し、前記表示装置は、前記電話帳データに基づいて、ログインしている前記端末のユーザー名を表示可能となっており、ユーザーが内線通話したい他のユーザー名をタッチすることで、それに対応する相手先ユーザー情報が指定される請求項１〜３のいずれかに記載の通信システム。
【請求項５】
前記端末は、前記中央サーバ及び前記ＰＢＸと通信可能な携帯端末である請求項１〜４のいずれかに記載の通信システム。
【発明の詳細な説明】
【技術分野】
【０００１】
本発明は、介護施設等で用いられると好適な通信システムに関する。
【背景技術】
【０００２】
我が国においては、国民の平均寿命の伸びや出生率の低下により少子高齢化が急速に進んでいる。これに伴い、介護が必要な者（要介護者）を収容する病院や老人福祉施設等は増大しつつあるが、過酷な勤務状況などの理由で看護師や介護士の人手が慢性的に足りないという深刻な事態を招いている。特に夜間などにおいては、少ない人数で多くの要介護者を見守らなくてはならず、介護士等の負担が大きくなり、これが更なる人手不足を招く一因となっている。
【０００３】
このような介護士等の負担を軽減するため、介護業務を支援する技術が求められている。一例を挙げると、介護士等の仕事の一部を機械に行わせるために、要介護者を監視（モニタ）する種々の技術が開発されている。
【０００４】
特許文献１には、異常検出装置が要介護者などの監視対象の異常を検出したときに、監視対象の画像を撮像して、ネット等を介して外部の端末へと前記監視対象の画像データを送信することで、監視対象の現状を遠隔的に監視する技術が開示されている。
【先行技術文献】
【特許文献】
【０００５】
【特許文献１】特開２００５−２５３０２５号公報
【特許文献２】特許第３１５５９０８号明細書
【発明の概要】
【発明が解決しようとする課題】
【０００６】
ところで、近年においては、いわゆるスマートフォンと呼ばれる携帯端末の性能が向上しており、ＰＣ並みの性能を有するにもかかわらず、介護士等のポケットに携帯できる程度に小型化されたものが市販されている。よって、介護士等は携帯端末を携帯したまま施設内を巡回し、必要な要介護者の介護を実際に行いつつ、これと並行して別の要介護者を例えば特許文献１の技術を応用した携帯端末を介して遠隔的に監視することができる。これにより、少ない数の介護士等により多くの要介護者を介護することができ、同時に介護士等の負担を軽減することができる。このような遠隔的な監視は、要介護者の画像データを取得するカメラと、カメラから画像データを送信する送信装置と、監視アプリケーションをインストールした携帯端末とを含む監視システムにより実現できる。
【０００７】
一方、特許文献２に示すように、外部の公衆回線と接続された構内交換機(Private Branch eXchange，以下ＰＢＸとする)をコンピュータと連携させる技術も知られている。ＰＢＸの中には、携帯端末同士での内線接続を確立する機能を有するものもある。特許文献２の技術を用いれば、施設内に設けられたＰＢＸと携帯端末とを連携させて高度のサービスを提供可能になる。
【０００８】
しかるに、ある種のＰＢＸは、内線接続を確立する際に相手先を特定するため、各携帯端末に記憶された電話帳を用いている。つまり、携帯端末から内線接続要求があったときは、その携帯端末の電話帳に記録された相手先の端末へと接続を行うようにしている。一方で、通常の介護施設などでは介護士等が交代制で勤務していることから、一つの携帯端末を複数の介護士等が共同で利用することも予想される。このような場合、携帯端末の使用者が変わることで、内線通話を行いたい相手と会話できず混乱が生じる恐れがある。かかる問題は、携帯端末に限らず固定端末にて監視する場合でも起こりうる。
【０００９】
本発明は、上記事情に鑑みなされたものであり、介護士等が端末を共有する場合にも、容易に所望の相手先に内線通話を行える通信システムを提供することを目的とする。
【課題を解決するための手段】
【００１０】
上述した目的のうち少なくとも一つを実現するために、本発明の一側面を反映した通信システムは、
音声通話装置と、記憶部と、操作部とを備えた複数の端末と、
音声通話装置と、記憶部と、操作部とを備えた複数の端末と、
前記端末と通信可能な中央サーバと、
前記端末と通信可能であって、内線接続機能を有するＰＢＸとを有する通信システムであって、
各端末は、他の端末に対応する相手先端末情報と相手先ユーザー情報とを対応づけて記録した電話帳データを前記記憶部に記憶可能となっており、前記操作部を介してユーザーが前記相手先ユーザー情報を指定して内線電話をかける操作を行った場合、前記端末は、前記ＰＢＸに対して、指定した前記相手先ユーザー情報に対応する前記電話帳データの相手先端末情報を含む内線接続要求を送信可能となっており、
前記ＰＢＸは、前記端末の一つから内線接続要求があったときは、前記相手先端末情報に対応する端末に対して内線接続を確立し、
前記端末が、前記中央サーバに対して，ユーザーの情報を含むログイン要求信号を送信した場合、前記中央サーバは、前記ログイン要求信号に含まれたユーザーの情報と、前記ログイン要求信号を送信した前記端末との組み合わせを含む更新情報を、前記中央サーバにログインしている前記端末全てに送信し、前記端末は、送信された前記更新情報に基づいて、前記記憶部に記憶された前記電話帳データを更新するものである。
【発明の効果】
【００１１】
本発明によれば、介護士等が端末を共有する場合にも、容易に所望の相手先に内線通話を行える通信システムを提供することができる。
【図面の簡単な説明】
【００１２】
【図１】本実施形態における介護支援システムの全体構成を示す図である。
【図２】本実施形態の介護支援システムにおける携帯端末の構成を示す図である。
【図３】管理サーバＳＶと携帯端末ＴＡ−６，ＴＡ−７とＰＢＸとの間の通信を示す梯子チャートである。
【図４】携帯端末ＴＡ−６のログイン画面を示す図である。
【図５】携帯端末ＴＡ−６の見守りアプリケーション実行時の画面を示す図である。
【図６】携帯端末ＴＡ−７の内線通話モード選択時の画面を示す図である。
【図７】携帯端末ＴＡ−６の内線通話モード選択時の画面を示す図である。
【図８】携帯端末ＴＡ−７に記憶されている電話帳データの内容を示す一例である。
【図９】携帯端末ＴＡ−６に記憶されている電話帳データの内容を示す一例である。
【発明を実施するための形態】
【００１３】
以下、本発明にかかる実施形態を図面に基づいて説明する。図１は、本実施形態における通信システムを含む介護支援システムの全体構成を示す図である。図２は、携帯端末ＴＡの構成を示すブロック図である。本明細書中、「介護」とは「看護」も含む概念である。
【００１４】
本実施形態における介護支援システムは、見守り対象である被監視者（以下、対象者という）Ｏｂの状態を、それぞれ対応するセンサボックスＳＢにより検知することで対象者Ｏｂを見守って、介護を支援する機能を有するものである。
【００１５】
このような介護支援システムＭＳは、例えば、図１に示すように、対象者の居室にそれぞれ備えられたセンサボックスＳＢ（ＳＢ−１〜ＳＢ−４）と、管理サーバＳＶと、固定端末装置ＳＰと、介護士がそれぞれ管理する携帯端末ＴＡ（ＴＡ−１、ＴＡ−２）とを有し、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続されている。更に、ネットワークＮＷは、外部の公衆回線とネットワークＮＷとの間，及び携帯端末ＴＡ同士で通信を確立する機能を有するＰＢＸに接続されている。ＰＢＸに関しては、例えば特許第５０７１１５８号に開示するＩＰ−ＰＢＸを用いることができる。
【００１６】
ネットワークＮＷには、通信信号を中継する例えばリピーター、ブリッジ、ルーターおよびクロスコネクト等の中継機が備えられても良い。図１に示す例では、これら複数のセンサボックスＳＢ−１〜ＳＢ−４、管理サーバＳＶ、固定端末装置ＳＰおよび複数の携帯端末ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。センサボックスＳＢは、センサ装置の一例に相当し、固定端末装置ＳＰおよび携帯端末ＴＡそれぞれは、端末の一例に相当する。尚、図１では、代表してユーザー０００１，０００２、携帯端末ＴＡ−１，ＴＡ−２のみを示しているが、ユーザーの数に応じて、携帯端末は複数接続可能となっている。
【００１７】
対象者Ｏｂは、例えば、病気や怪我等によって看護を必要とする者や、身体能力の低下等によって介護を必要とする者や、一人暮らしの独居者等である。特に、早期発見と早期対処とを可能にする観点から、対象者Ｏｂは、例えば異常状態等の所定の不都合な事象がその者に生じた場合にその発見を必要としている者であることが好ましい。このため、介護支援システムＭＳは、対象者Ｏｂの種類に応じて、病院、老人福祉施設および住戸等の建物に好適に配設される。図１に示す例では、介護支援システムＭＳは、複数の対象者Ｏｂが入居する複数の居室ＲＭや、ナースステーションＳＴ等の複数の部屋を備える介護施設の建物に配設されている。
【００１８】
センサボックスＳＢは、対象者Ｏｂの居室ＲＭの天井や壁等にそれぞれ配置され、ネットワークＮＷを介して管理サーバＳＶ等と通信する通信部と、対象者Ｏｂを撮像するカメラ部と、撮像した対象者Ｏｂの画像データを解析する行動検知処理部を備えている。
【００１９】
センサボックスＳＢのカメラは、可視光の画像を生成する装置であって良いが、比較的暗がりでも対象者Ｏｂを監視できるように、本実施形態では、赤外線の画像を生成する機能を有する。このようなカメラは、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。カメラ部の結像光学系は、本実施形態では、対象者Ｏｂの居室ＲＭ全体を撮像できる画角を持つ広角な光学系（いわゆる広角レンズ（魚眼レンズを含む））であることが好ましい。また、前記空間を赤外線で照明する赤外線照明装置がさらに設けられても良い。
【００２０】
センサボックスＳＢの通信部は、カメラ部から入力された転送すべきデータを収容した通信信号を、この介護支援システムＭＳのネットワークＮＷで用いられる通信プロトコルに従って生成し、この生成した通信信号を、ネットワークＮＷを介して管理サーバＳＶ等へ送信する。
【００２１】
行動検知処理部は、カメラ部の出力に基づいて対象者Ｏｂにおける、予め設定された所定のイベントを検知するものである。所定のイベントは、対象者Ｏｂの起床、離床、転倒、転落であり、行動検知処理部は、カメラ部の出力に基づいて対象者Ｏｂにおける起床、離床、転倒、転落をイベントとして検知し、通知部へ通知する。行動検知処理部は、カメラ部の出力に基づいて対象者Ｏｂの起床、離床、転倒、転落を分別して検知できる。
【００２２】
センサボックスＳＢの通信部は、カメラ部で撮像した対象者Ｏｂにおける所定の行動を検知して所定のイベントが生じた場合に、外部に通知する。より具体的には、通知部は、生じたイベントの種別を表す情報（起床、離床、転倒、転落のいずれを示す情報）と、前記対象者Ｏｂを検知しているセンサボックスＳＢを特定し識別するための識別子情報とからなる通知信号を生成し、ネットワークＮＷを介して管理サーバＳＶへ送信する。
【００２３】
図１には、一例として、４個の第１ないし第４センサボックスＳＢ−１〜ＳＢ−４が示されており、第１センサボックスＳＢ−１は、対象者Ｏｂの一人であるＡさんＯｂ−１の居室ＲＭ−１に配設され、第２センサボックスＳＢ−２は、対象者Ｏｂの一人であるＢさんＯｂ−２の居室ＲＭ−２に配設され、第３センサボックスＳＢ−３は、対象者Ｏｂの一人であるＣさんＯｂ−３の居室ＲＭ−３に配設され、そして、第４センサボックスＳＢ−４は、対象者Ｏｂの一人であるＤさんＯｂ−４の居室ＲＭ−４に配設されている。
【００２４】
図１において、管理サーバ（中央サーバ）ＳＶは、ネットワークＮＷを介して他のセンサボックスＳＢと、固定端末ＳＰと、携帯端末ＴＡとに独立して通信する通信機能を備えている。管理サーバＳＶは、センサボックスＳＢから通知を受けて、イベントが生じた居室を担当する介護士の持つ携帯端末ＴＡ、及び／又は固定端末装置ＳＰに情報を提供する機能を有する。
【００２５】
固定端末装置ＳＰは、ナースステーションＳＴに設置されており、ネットワークＮＷを介して管理サーバＳＶ等と通信する通信機能、所定の情報を表示する表示機能、および、所定の指示やデータを入力する入力機能等を備え、管理サーバＳＶや携帯端末ＴＡに与える所定の指示やデータを入力したり、センサボックスＳＢで得られた検知結果や画像を表示したりすることによって、介護支援システムＭＳのユーザインターフェース（ＵＩ）として機能する機器である。
【００２６】
次に、携帯端末ＴＡについて説明する。携帯端末ＴＡは、ネットワークＮＷを介して管理サーバＳＶ等と通信する通信機能、所定の情報を表示する表示機能、所定の指示やデータを入力する入力機能、および、音声通話を行う通話機能等を備え、管理サーバＳＶやセンサボックスＳＢに与える所定の指示やデータを入力し、前記所定のイベントがセンサボックスＳＢで生じた場合に前記所定のイベントの通知を受け、センサボックスＳＢとの間で通話し、センサボックスＳＢで生成された動画を表示するための機器である。
【００２７】
このような携帯端末ＴＡは、図２に示すように、一例として「Ａｎｄｒｏｉｄ（登録商標）」と呼ばれるＯＳ（Ｏｐｅｒａｔｉｎｇ  Ｓｙｓｔｅｍ：オペレーティングシステム）を使用しているプロセッサとしてのＴＡ制御処理部３１と、ＴＡ記憶部３２と、ＴＡ通信ＩＦ部３３と、ＴＡ音入出力部３４と、ＴＡ入力部３５と、ＴＡ表示部３６と、ＴＡＩＦ部３７とを備える。
【００２８】
音声通話装置であるＴＡ音入出力部３４は、ＴＡ制御処理部３１に接続され、外部の音を取得して携帯端末ＴＡに入力するためのデバイスであって、ＴＡ制御処理部３１の制御に従って音を表す電気信号に応じた音を生成して出力するものである。ＴＡ音入出力部３４は、例えば、音響振動を電気信号に変換するマイクロホン等と、音の電気信号を音の音響振動に変換するスピーカ等とを備えて構成される。ＴＡ音入出力部３４は、外部の音を表す電気信号をＴＡ制御処理部３１へ出力し、また、ＴＡ制御処理部３１から入力された電気信号を音の音響振動に変換して出力する。
【００２９】
操作部であるＴＡ入力部３５は、ＴＡ制御処理部３１に接続され、例えば、所定の操作を受け付け、携帯端末ＴＡに入力するデバイスであり、所定の機能を割り付けられた複数の入力スイッチ等である。前記所定の操作には、例えば、ログインするためのＩＤの入力操作や、通知されたナースコールに対応する応答操作や、動画の要求操作や、通知された対象者Ｏｂに対する例えば救命、看護、介護および介助等の対応を実行する意思がある旨（復旧）の入力操作等の、監視する上で必要な各種操作等が含まれる。
【００３０】
表示装置であるＴＡ表示部３６は、ＴＡ制御処理部３１に接続され、ＴＡ制御処理部３１の制御に従って、ＴＡ入力部３５から入力された所定の操作内容、および、介護支援システムＭＳによって監視されている対象者Ｏｂに対する監視に関する前記監視情報（例えばセンサボックスＳＢで生じたイベントや対象者Ｏｂの画像等）等を表示するデバイスであり、例えばＬＣＤおよび有機ＥＬディスプレイ等の表示装置である。そして、本実施形態では、ＴＡ入力部３５およびＴＡ表示部３６はタッチパネルから構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば介護士等のユーザ（監視者）が、入力したい入力内容を表示した表示位置を触れると、位置入力デバイスによってその位置が検出され、検出された位置に表示された表示内容がユーザーの操作入力内容として携帯端末ＴＡに入力される。
【００３１】
ＴＡＩＦ部３７は、ＴＡ制御処理部３１に接続され、ＴＡ制御処理部３１の制御に従って、外部機器との間でデータの入出力を行うデバイスであり、例えば、携帯電話通信網、ＷｉＦｉ規格、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００３２】
ＴＡ通信ＩＦ部３３は、ＴＡ制御処理部３１に接続され、ＴＡ制御処理部３１の制御に従って通信を行うための通信デバイスである。ＴＡ通信ＩＦ部３３は、ＴＡ制御処理部３１から入力された転送すべきデータを収容した通信信号を、この介護支援システムＭＳのネットワークＮＷで用いられる通信プロトコルに従って生成し、この生成した通信信号をネットワークＮＷを介して管理サーバＳＶ等へ送信する。ＴＡ通信ＩＦ部３３は、ネットワークＮＷを介して管理サーバＳＶ等から通信信号を受信し、この受信した通信信号からデータを取り出し、この取り出したデータをＴＡ制御処理部３１が処理可能な形式のデータに変換してＴＡ制御処理部３１へ出力する。
【００３３】
記憶部であるＴＡ記憶部３２は、ＴＡ制御処理部３１に接続され、ＴＡ制御処理部３１の制御に従って、各種のプログラム（内線通話を可能にする内線通話モードを含み、対象者Ｏｂの見守りを行う見守りアプリケーション等）および各種のデータ（後述する電話帳データ等）を記憶する回路である。前記各種のプログラムには、表示に関する動作を処理する表示処理プログラム等が含まれる。前記各種のデータでは、ＴＡ表示部３６に表示される画面情報等の各データが含まれる。ＴＡ記憶部３２は、例えばＲＯＭやＥＥＰＲＯＭ等を備える。ＴＡ記憶部３２は、前記所定のプログラムの実行中に生じるデータ等を記憶するいわゆるＴＡ制御処理部３１のワーキングメモリとなるＲＡＭ等を含む。そして、ＴＡ記憶部３２は、上述の各情報を記憶するために、機能的に表示画面記憶部３２１を備えている。
【００３４】
表示画面記憶部３２１は、ＴＡ制御処理部３１における後述の表示処理部３１２１の制御に従って、ＴＡ表示部３６に表示するための画面情報を記憶するものである。
【００３５】
ＴＡ制御処理部３１は、情報を処理するための回路である。ＴＡ制御処理部３１は、例えば、ＣＰＵおよびその周辺回路を備えて構成される。ＴＡ制御処理部３１は、ＴＡ記憶部３２に記憶された見守りアプリケーションを含む制御処理プログラムが実行されることによって、ＴＡ制御部３１１およびＴＡ処理部３１２を制御し、ＴＡ処理部３１２は表示処理部３１２１を制御する。
【００３６】
ＴＡ制御部３１１は、携帯端末ＴＡの全体制御を司るものである。
【００３７】
表示処理部３１２１は、ＴＡ表示部３６の表示に関する動作を処理するものである。より具体的には、表示処理部３１２１は、必要に応じてＴＡ表示部３６に動画を表示する。
【００３８】
このような携帯端末ＴＡは、例えば、いわゆるタブレット型コンピュータやスマートフォンや携帯電話機等の、持ち運び可能な通信端末装置によって構成可能である。
【００３９】
次に、実施形態における介護支援システムの動作について説明する。「Ａｎｄｒｏｉｄ（登録商標）」等のＯＳを使用する汎用の携帯端末は、インストールされた複数のアプリケーションを実行することができるので、専用品に比べて低コストで本介護支援システムに使用することができる。ところで、「Ａｎｄｒｏｉｄ（登録商標）」等のＯＳは、内線接続を行うために相手先端末情報と相手先ユーザー情報とを対応づけた電話帳データを作成する機能がある。この機能を用いることで、ＰＢＸを介して携帯端末同士で内線通話を行うことができる。すなわち、いずれかの携帯端末から、相手先端末情報を含む内線接続要求をＰＢＸに対して行うことで、相手先の携帯端末と内線接続を確立できる。
【００４０】
ここで、相手先端末情報を含む内線接続要求があったとき、ＰＢＸが内線接続を確立するのは、相手先端末情報に基づいて特定される携帯端末である。一方、通常の介護施設などでは介護士等が交代制で勤務していることから、一つの携帯端末を複数の介護士等が共同で利用することもある。従って、相手先端末情報に基づいて特定される携帯端末に内線接続を確立したとしても、それが内線通話した相手とは限らず、混乱が生じる恐れがある。本実施形態によれば、手間をかけることなく所望の相手に内線通話を行えるようにできる。
【００４１】
ここで、本実施形態にかかる介護支援システムＭＳ全体について説明するが、センサボックスＳＢの起動により、その制御処理プログラムの実行によって監視動作が開始される。まず、勤務を開始した介護士の一人（ユーザー０００６）が、自分が持つ携帯端末ＴＡのメインスイッチをオン操作する。すると、後述する図４に示すようなログイン画面が表示される。「Ａｎｄｒｏｉｄ（登録商標）」等のＯＳを使用する携帯端末では、標準のログイン画面が表示されるのであるが、ここでは図４に示すようなログイン画面を最初に表示するようにカスタマイズされている。
【００４２】
図３は、管理サーバＳＶと携帯端末ＴＡ−６，ＴＡ−７とＰＢＸとの間の通信を示す梯子チャートである。図４は、携帯端末ＴＡ−６のログイン画面を示す図であり、図５は、携帯端末ＴＡ−６の見守りアプリケーション実行時の画面を示す図であり、図６は、携帯端末ＴＡ−７の内線通話モード選択時の画面を示す図であり、図７は、携帯端末ＴＡ−６の内線通話モード選択時の画面を示す図であり、図８は、携帯端末ＴＡ−７に記憶されている電話帳データの例であり、図９は、携帯端末ＴＡ−６に記憶されている電話帳データの例である。図８，９に示す電話帳データにおいて、端末名が相手先端末情報であり、ユーザー名が相手先ユーザー情報である。
【００４３】
ここでは、携帯端末ＴＡ−１〜ＴＡ−３及びＴＡ−５（図３では不図示），並びにＴＡ−７が既にログインしており、図３のステップＳ１０１に示すように対象者Ｏｂを見守り（監視）している状態から、新たに携帯端末ＴＡ−６より介護士であるユーザー０００６がログインする場合を想定する。
【００４４】
ユーザー０００６がログインする前においては、携帯端末ＴＡ−７のＴＡ記憶部３２には、図８（ａ）に示す電話帳データが記憶されている。図８（ａ）に示す電話帳データにおいては、携帯端末ＴＡ−４，ＴＡ−６からログインされておらずユーザーが空欄となっており、また携帯端末ＴＡ−７は自身を意味する「ＯＷＮ」と記録されている。かかる状態で、携帯端末ＴＡ−７で内線通話モード（詳細は後述）に移行すると、図６（ａ）に示すように、記憶された電話帳データに基づいて、ＴＡ表示部３６のメイン領域６１２には、自分を除き現在ログインしているユーザー名「０００１」、「０００２」、「０００３」、「０００５」が表示され、ここから内線通話できる相手を指定できるようになる。尚、管理サーバＳＶも、現時点でログインしている全ての携帯端末とユーザー名とを対応づけてなる電話帳データ（基本電話帳データとする）を記憶している。
【００４５】
図３のステップＳ１０２で、携帯端末ＴＡ−６からユーザー０００６によりログイン操作が行われることで、携帯端末ＴＡ−６において見守りシステムが起動する。より具体的には，携帯端末ＴＡ−６の図４に示すログイン画面にて、ユーザーが「ユーザー名」の入力欄ＣＬ１の右端の三角マークＭＫ１をタップすることで、複数の選択肢が表示されるから、そのうち自分のユーザー名「ユーザー０００６」（ユーザーＩＤ：介護士の氏名でも良い）をタップして選択し、更に「パス」の入力欄ＣＬ２に、その下方に表示された数字キーＮＫを用いて、４桁の数字を入力する。その後ユーザーは、ボタンＢ１１をタップすることで、ログイン操作が完了する。尚、パスの入力は省略しても良い。
【００４６】
図３におけるステップＳ１０２のログイン操作により、ユーザー情報としての「０００６」というユーザー名（ユーザーＩＤ）と、携帯端末ＴＡ−６の端末ＩＤとを含むログイン要求信号が、携帯端末ＴＡ−６から管理サーバＳＶに送信される（Ｃ１１）。ログイン要求信号を受信した管理サーバＳＶは、内蔵メモリに記憶したデータベース内を参照し、ユーザー名とパスが一致することを確認してログイン認証を行い（ステップＳ１０３）、ログイン認証が成功した旨の応答信号を携帯端末ＴＡ−６へと送信する（Ｃ１２）。かかる応答信号を受信した携帯端末ＴＡ−６では、見守りアプリケーションが起動して、後述するように対象者Ｏｂの見守りを支援する（ステップＳ１０４）。尚、図示していないが、ユーザー名とパスが一致しなければ、管理サーバＳＶは、失敗信号を携帯端末ＴＡ−６へと送信して、再度のログイン操作を促すこととなる。
【００４７】
ログイン認証と並行してステップＳ１０５で、管理サーバＳＶは、新たに携帯端末ＴＡ−６からユーザー０００６がログインしたことに応じて、自身が記憶する基本電話帳データを更新すると共に更新情報を作成する。現時点で、ログインしている全ての携帯端末の電話帳データには、携帯端末ＴＡ−６とユーザー０００６の組み合わせが記録されていない。そこで、管理サーバＳＶは、ログインしている携帯端末とユーザー名の組み合わせに加えて、新たにログインした携帯端末ＴＡ−６とユーザー０００６の組み合わせを基本電話帳データに追加して更新すると共に、更新された基本電話帳データのコピーを携帯端末ＴＡ−６に送信する（Ｃ１３）。
【００４８】
携帯端末ＴＡ−６は，基本電話帳データのコピー（更新情報）を受信したときは、ステップＳ１０６で、これを自身のＴＡ記憶部３２に記憶する（以前の電話帳データが残存していれば置換する）が、携帯端末ＴＡ−６のユーザー名を、自身を意味する「ＯＷＮ」と変更する。更新された電話帳データは、図９（ａ）に示すものとなり、すなわち携帯端末ＴＡ−４がログインされておらず、また携帯端末ＴＡ−６は「ＯＷＮ」と記録されている。かかる状態で、携帯端末ＴＡ−６で内線通話モードに移行すると、図７（ａ）に示すように、更新された電話帳データに基づいて、メイン領域６１２には、自分を除き現在ログインしているユーザー名「０００１」、「０００２」、「０００３」、「０００５」、「０００７」が表示され、ここから内線通話できる相手を指定できるようになる。
【００４９】
以上と並行して、管理サーバＳＶは、新たにログインした携帯端末ＴＡ−６とユーザー０００６の組み合わせを含む更新情報を、携帯端末ＴＡ−６以外のログインしている全ての携帯端末に送信する（Ｃ１４）。更新情報を受信した携帯端末は、この組み合わせを自身のＴＡ記憶部３２に記憶されている電話帳データに追加記録することで更新を行う（ステップＳ１０７）。尚、更新された電話帳データのコピーを、ログインしている全ての携帯端末に送信して、記憶されているものと置換しても良い。以上により、例えば携帯端末ＴＡ−７にて更新された電話帳データは、図８（ｂ）に示すものとなり、すなわち図８（ａ）に示す電話帳データに対して、携帯端末ＴＡ−６に対応づけてユーザー名０００６が追加されている。すなわち、電話帳データにて携帯端末ＴＡ−６とユーザー名０００６との組み合わせが有効になる。
【００５０】
ここで、ステップＳ１０４（ステップＳ１０１も同様）における、見守りアプリケーションの実行による対象者Ｏｂの監視（見守り）の支援について説明する。見守りアプリケーションが起動すると、携帯端末ＴＡ−６は、ＴＡ処理部３１２によって、自機宛の通信信号を待ち受ける待受け画面をＴＡ表示部３６に表示する。この待受け画面は、例えば、図５（ａ）に示すように、メニューバーを表示するメニューバー領域６１１と、待ち受け中であることを表すメッセージ（例えば「未対応通知はありません」）、日付や現在時刻６１２、当該携帯端末ＴＡ−６にログインしているユーザー名６３（０００６）などを表示する待受けメイン領域６１２とを備える。このような待受け画面を表示しながら、携帯端末ＴＡ−６は、ＴＡ制御部３１１によってＴＡ通信ＩＦ部３３で、管理サーバＳＶから送信される通信信号を待つこととなる。
【００５１】
図示を省略するが、各対象者Ｏｂの監視を行うセンサボックスＳＢは、カメラ部で対象者Ｏｂの画像データを取得しつつ、その画像データを画像解析する。この解析の結果、所定のイベント（起床、離床、転倒、転落）を検出したときは、センサボックスＳＢは、イベント前後の画像データを内蔵メモリに記憶すると共に、どの種類のイベントが発生したかを示すイベント情報と、通信アドレスを含む通知信号を、ネットワークＮＷを介して管理サーバＳＶへ送信する。
【００５２】
このような通知信号がセンサボックスＳＢから送信されると、管理サーバＳＶは、通知信号に含まれているセンサボックスＳＢの情報に基づいて、居住者が誰か（ここではＢさん）を判断し、更に、通知信号のイベント情報から、その居住者（Ｂさん）に対応する通知イベントの種類（ここでは転倒又は転落：特定の状態）に該当するかを判断する。そして、受信した通知信号のイベント情報が通知イベントを示している場合には、携帯端末への通知を行うことを決定する。一方、受信した通知信号のイベント情報が通知イベントを示していない場合（Ｂさんの場合、起床又は離床）、携帯端末への通知を行わないことを決定し、次の通知信号を待ち受ける。
【００５３】
管理サーバＳＶが、端末への通知を決定した場合、居住者（Ｂさん）を担当する介護士（ユーザー０００６）の携帯端末ＴＡ−６を選定し、更に、ＲＭ−２号室で転倒又は転落が生じた情報を含む通知信号（イベント信号）を、選定した携帯端末へ送信する。
【００５４】
このような通知信号が管理サーバＳＶから送信されると、携帯端末ＴＡ−６は、ＴＡ処理部３１２によってＴＡ表示部３６の画面表示を、例えば図５（ｂ）に示すものに切り替える。図５（ｂ）に示す例では、メイン領域６１２に、イベントが生じた居室名（ＲＭ−２号室）と，当該居室の居住者の氏名（Ｂ様）と、転倒又は転落を示すアイコンＩＣ１と、通知時間と現在との時間差（０分）が表示される。同時に、メイン領域６１２に、ボタンＢ１（対応する），Ｂ２（話す），Ｂ３（記憶映像を見る）、Ｂ４（ライブ映像を見る）が表示される。
【００５５】
ここで、介護士がボタンＢ３又はＢ４にタッチ（タップともいう）すると、携帯端末ＴＡ−６のＴＡ入力部３５が反応し、ＴＡ制御部３１１が画像のリクエストがなされたと判断して、ＴＡ通信ＩＦ部からネットワークＮＷを介して管理サーバＳＶにリクエスト信号が送信される。ここでリクエスト信号には、要求種別（記憶映像又はライブ映像）が含まれる。管理サーバＳＶは、リクエスト信号を中継して対象となるセンサボックスＳＢに送信する。尚、リクエスト信号は、直接センサボックスＳＢに送信されても良い。
【００５６】
リクエスト信号を受信したセンサボックスＳＢは、リクエスト信号中の要求種別を判別する。介護士がボタンＢ３をタッチした場合、携帯端末ＴＡ−６から、記憶画像を要求するリクエスト信号が出力されるので、管理サーバＳＶを介してこれを受信したセンサボックスＳＢが記憶映像を要求されていると判断して、センサボックスＳＢから画像データを読み出して、ネットワークＮＷを介して管理サーバＳＶに送信する。或いは、介護士がボタンＢ４をタッチした場合、携帯端末ＴＡ−６から、ライブ映像を要求するリクエスト信号が出力されるので、管理サーバＳＶを介してこれを受信したセンサボックスＳＢがライブ映像を要求されていると判断して、カメラ部で撮像してなるライブ映像をエンコードして、そのセンサボックスＳＢからネットワークＮＷを介して管理サーバＳＶに送信する。
【００５７】
画像データを受信した携帯端末ＴＡ−６は、ＴＡ処理部３１２によってＴＡ表示部３６の画面表示を、例えば図５（ｃ）に示すものに切り替える。記憶映像を要求した図５（ｃ）に示す例では、メイン領域６１２に、ＲＭ−２号室で転倒した前後のＢさんの画像（映像）ＩＭＧが表示されるので、かかる画像ＩＭＧを見た介護士は、すぐに対応すべき状態か否かを判断することができる。又、画像ＩＭＧを見ただけでは判断できない場合、介護士がボタンＢ２をタッチすることで、センサボックスＳＢの音入出力部（不図示）を介して、Ｂさんと介護士とが直接会話できるため、状況を正確に判断することができる。
【００５８】
尚、表示されたアイコンＩＣ１を見た介護士が、イベントが生じたＲＭ−２号室に近い場所にいるときは、画像を見ることなく直ちに駆けつけることができる。従って、そのような場合、ボタンＢ１をタッチすることで、例えば固定端末ＳＰに、介護士が直接対応する旨の情報が送信されることとなる。
【００５９】
ところで、図５に示す画面のいずれかが表示されているときに、例えば介護士は、同僚に内線電話をかけたい場合がある。かかる場合、ＰＢＸを利用して携帯端末同士で内線通話を行えると便利である。以下、ユーザー０００７の使用する携帯端末ＴＡ−７からユーザー０００６の使用する携帯端末ＴＡ−６への、ＰＢＸを利用した内線接続について説明する。
【００６０】
介護士（ユーザー０００７）が、自身が使用する携帯端末ＴＡ−７のＴＡ表示部３６に表示されたメニューバー領域６１１のアイコンＩＣ２（図５参照）をタップすると、内線通話モードに移行する。これにより、図５に示す画面から図６（ｂ）に示す画面へと切り替わり、更新された電話帳データに基づいて、メイン領域６１２には、自分を除き現在ログインしているユーザー名「０００１」、「０００２」、「０００３」、「０００５」、「０００６」が表示されることとなる。ユーザー０００７は、この中から内線通話したい相手を指定できる。このときログインしていないユーザーは指定できないから、ユーザーは相手先のログインの有無を確認せずに内線電話をかけることができる。尚、明らかであるが、ログインしているのがユーザーただ一人の場合、画面にはいかなるユーザー名も表示されず、内線通話を行えないことがわかる。
【００６１】
ユーザー０００６に内線通話を行おうとするときは、表示画面のユーザー０００６をタップして指定し、更に表示されたアイコンＩＣ４をタップする（図３のステップＳ１０８）。このとき、端末ＴＡ−７は、自身の電話帳データを参照して、指定されたユーザー０００６に対応付けられた相手先端末情報（ＴＡ−６）を選択し、ＰＢＸに対して、相手先端末情報（ＴＡ−６）を含む内線接続要求信号を送信する（Ｃ１５）。これを受信したＰＢＸは、ステップＳ１０９で、内線接続要求信号に含まれていた相手先端末情報に基づいて、内線接続を確立したい携帯端末ＴＡ−６のアドレス又はＩＤを特定し、これを用いてコール信号を携帯端末ＴＡ−６に送信する（Ｃ１６）。これにより、携帯端末ＴＡ−６の着信音がなり（ステップＳ１１０）、更に携帯端末ＴＡ−６に表示されたアイコンＩＣ４をタップすることで、携帯端末ＴＡ−７，ＴＡ−６間で内線接続が確立し、ユーザー０００７とユーザー０００６とは、ＴＡ音入出力部３４を介して内線通話を行えることとなる。尚、通話終了後は、アイコンＩＣ５をタップすることで回線遮断動作が行われる。又、ＴＡ表示部３６に表示されたメニューバー領域６１１のアイコンＩＣ３をタップすることで、見守りアプリケーションに基づく画面（図５（ａ））に復帰させることができる。
【００６２】
更に、図３のステップＳ１１１で、携帯端末ＴＡ−７にてユーザー０００７が所定のログアウト操作を行うと、携帯端末ＴＡ−７から管理サーバＳＶにログアウト要求信号が送信され（Ｃ１７）、これに応じて管理サーバＳＶはログアウト処理を行って、携帯端末ＴＡ−７にログアウト応答信号を送信する。
【００６３】
これと並行して、ステップＳ１１２で、管理サーバＳＶは、携帯端末ＴＡ−７からユーザー０００７がログアウトしたことに応じて、電話帳データの更新データを作成する。より具体的には、管理サーバＳＶは、ログアウトした携帯端末ＴＡ−７とユーザー０００７の組み合わせを自身の電話帳データから削除して更新すると共に、携帯端末ＴＡ−７とユーザー０００７の組み合わせを電話帳データから削除するよう求める更新情報を，ログインしている全ての携帯端末に送信する（Ｃ１９）。かかる更新情報を受信した携帯端末は、自身のＴＡ記憶部３２に記憶されている電話帳データから、携帯端末ＴＡ−７とユーザー０００７の組み合わせを削除することで更新を行う（ステップＳ１１３）。例えば、携帯端末ＴＡ−６にて更新された電話帳データは、図９（ｂ）に示すものとなり、すなわち図９（ａ）に示す電話帳データに対して、携帯端末ＴＡ−７のユーザー名が空欄となっている。すなわち、電話帳データにて携帯端末ＴＡ−７とユーザー名０００７との組み合わせが無効になる。
【００６４】
このとき、携帯端末ＴＡ−６で内線通話モードに移行すると、図７（ｂ）に示すように、更新された電話帳データに基づいて、メイン領域６１２には、自分を除き現在ログインしているユーザー名「０００１」、「０００２」、「０００３」、「０００５」が表示され、ここから内線通話できる相手を指定できるようになる。このように、いずれかのユーザーがログイン又はログアウトすることに応じて、ログインしている全ての携帯端末の電話帳データが更新されるので、常に最新の電話帳データを参照して、適切に内線接続を確立することができる。
【００６５】
本発明は、明細書に記載の実施形態に限定されるものではなく、他の実施形態・変形例を含むことは、本明細書に記載された実施形態や技術思想から本分野の当業者にとって明らかである。明細書の記載及び実施形態は、あくまでも例証を目的としており、本発明の範囲は後述するクレームによって示されている。例えば、携帯端末の代わりに固定端末に見守りアプリケーションをインストールして、上述のように動作させても良い。
【符号の説明】
【００６６】
３１              ＴＡ制御処理部
３２              ＴＡ記憶部
３３              ＴＡ通信ＩＦ部
３４              ＴＡ音入出力部
３５              ＴＡ入力部
３６              ＴＡ表示部
３７              ＴＡＩＦ部
３１１            ＴＡ制御部
３１２            ＴＡ処理部
３２１            表示画面記憶部
３１２１          表示処理部
６１１            メニューバー領域
６１２            メイン領域
ＡＰ              アクセスポイント
Ｂ１−Ｂ４        ボタン
Ｂ１１            ボタン
ＣＬ１、ＣＬ２    入力欄
ＩＣ１−ＩＣ５    アイコン
ＩＭＧ            画像
ＭＫ１            三角マーク
ＭＳ              介護支援システム
ＮＫ              数字キー
ＮＷ              ネットワーク
Ｏｂ              対象者
ＳＢ              センサボックス
ＳＰ              固定端末
ＳＴ              ナースステーション
ＳＶ              管理サーバ
ＴＡ              携帯端末
【図１】
2018152876.tif 000003
【図２】
2018152876.tif 000004
【図３】
2018152876.tif 000005
【図４】
2018152876.tif 000006
【図５】
2018152876.tif 000007
【図６】
2018152876.tif 000008
【図７】
2018152876.tif 000009
【図８】
2018152876.tif 000010
【図９】
2018152876.tif 000011